(57)【要約】【課題】操作者に制御対象をその都度選択指定させる必要がなく、簡便且つ容易に複数ある制御対象のうちから所定の制御対象を制御し得る無線遠隔操作システム及び該システムを使用した建物開口部用開閉制御装置を提供する。【解決手段】リモートコントローラ５からから送信された操作指令信号を受信した複数の駆動制御装置４の制御部３は、当該操作指令信号の受信信号レベル値（受信値）を基準信号レベル値（基準値）と比較する。そして、受信値が基準値より高い駆動制御装置４では、その制御部３が制御対象たる開閉装置２を開閉制御することによって窓開閉体７の動作（開放、停止、閉鎖）を実行する。一方、全ての駆動制御装置４において受信値が基準値より低い場合は、各駆動制御装置４において前記基準値を同時進行的に低下させていき、受信値が基準値より高くなった駆動制御装置４の制御部３がその制御対象たる開閉装置２の開閉制御を開始する。【選択図】　　　図１
2004060143.tif 000002
【特許請求の範囲】
【請求項１】
操作側局及び複数の装置側局を含む各局の間で無線信号の授受が行われ、各装置側局毎に対応付けされた複数の制御部がそれぞれ対応する装置側局で受信した操作指令信号に基づいて各制御部毎に割り当てられた制御対象を制御する無線遠隔操作システムにおいて、
前記各制御部は、対応する装置側局における前記操作指令信号の信号レベル値と前記各制御部に共通の基準信号レベル値とを比較し、その比較結果が所定の条件を満たした場合に、その制御部における前記制御対象の制御を開始する無線遠隔操作システム。
【請求項２】
前記各制御部は、対応する装置側局で前記操作指令信号を受信したことに基づいて前記基準信号レベル値を所定の初期レベル値から同時進行的に低下させるものであり、その低下途中の基準信号レベル値との比較において、前記操作指令信号の信号レベル値の方が高くなった制御部では、その制御部における前記制御対象の制御を開始すると共に、その制御開始に伴い当該制御部が対応する装置側局を介して所定の報知信号を出力し、その報知信号を対応する装置側局を介して入力した他の制御部では、当該他の制御部に割り当てられた制御対象に対する制御が規制される請求項１に記載の無線遠隔操作システム。
【請求項３】
前記各制御部では、前記報知信号が何れか一つの制御部から出力されたことに基づいて前記基準信号レベル値の同時進行的な低下が停止される請求項２に記載の無線遠隔操作システム。
【請求項４】
請求項１〜請求項３のうち何れか一項に記載の無線遠隔操作システムを使用し、建物における複数の開口部毎に対応した複数の開閉装置を制御対象として、各開閉装置の開閉制御を無線遠隔操作により行う建物開口部用開閉制御装置。
【請求項５】
前記建物における複数の開口部は窓である請求項４に記載の建物開口部用開閉制御装置。
【発明の詳細な説明】
【０００１】
【発明の属する技術分野】
本発明は、無線遠隔操作システム及び建物開口部用開閉制御装置に関するものである。
【０００２】
【従来の技術】
従来から、建物の開口部を開閉するシャッター、窓、ドア等の開閉装置を無線で遠隔操作する技術が種々提案されている。例えば、特開平９−３２４２０号公報には、複数の開口部（天窓）毎に設けられた各開閉装置を当該各開閉装置毎に対応付けされた各制御部が開閉制御するようにした開閉制御装置が開示されている。そして、この開閉制御装置では、前記各制御部との間で無線信号の授受を行うリモコンを用いて、前記各開閉装置のうち所望する開口部の開閉装置を開閉制御する構成とされている。即ち、この開閉制御装置は、前記リモコンにより複数の開閉装置のうちから所定の開閉装置を選択指定することで、指定された開閉装置の開閉動作又は停止を行うものであり、個別及び全体の開閉装置の遠隔操作をできるというものであった。
【０００３】
【発明が解決しようとする課題】
ところが、特開平９−３２４２０号公報に記載の従来技術では、操作（開閉若しくは停止）したい開閉装置を操作者がその都度リモコンにより選択指定しなければならず、操作内容が煩雑になるという問題があった。また、その制御対象となる開閉装置がリモコンにおいて割り当てられた複数ある選択肢のうち何れの選択肢に該当するものであるかも覚えておかなければならず、操作上不便であるという問題もあった。なお、無線通信による操作指令に基づいて制御対象を制御する制御部を備えた各種の制御装置においては、建物開口部用開閉制御装置に限らず、前記と同様の問題点を有していた。
【０００４】
本発明は、このような事情に鑑みなされたものであって、その目的は、操作者に制御対象をその都度選択指定させる必要がなく、簡便且つ容易に複数ある制御対象のうちから所定の制御対象を制御し得る無線遠隔操作システム及び該システムを使用した建物開口部用開閉制御装置を提供することにある。
【０００５】
【課題を解決するための手段】
上記問題点を解決するために、無線遠隔操作システムに係る請求項１に記載の発明は、操作側局及び複数の装置側局を含む各局の間で無線信号の授受が行われ、各装置側局毎に対応付けされた複数の制御部がそれぞれ対応する装置側局で受信した操作指令信号に基づいて各制御部毎に割り当てられた制御対象を制御する無線遠隔操作システムにおいて、前記各制御部は、対応する装置側局における前記操作指令信号の信号レベル値と前記各制御部に共通の基準信号レベル値とを比較し、その比較結果が所定の基準を満たした場合に、その制御部における前記制御対象の制御を開始することを要旨とした。
【０００６】
また、同じく請求項２に記載の発明は、請求項１に記載の無線遠隔操作システムにおいて、前記各制御部は、対応する装置側局で前記操作指令信号を受信したことに基づいて前記基準信号レベル値を所定の初期レベル値から同時進行的に低下させるものであり、その低下途中の基準信号レベル値との比較において、前記操作指令信号の信号レベル値の方が高くなった制御部では、その制御部における前記制御対象の制御を開始すると共に、その制御開始に伴い当該制御部が対応する装置側局を介して所定の報知信号を出力し、その報知信号を対応する装置側局を介して入力した他の制御部では、当該他の制御部に割り当てられた制御対象に対する制御が規制されることを要旨とした。
【０００７】
また、同じく請求項３に記載の発明は、請求項２に記載の無線遠隔操作システムにおいて、前記各制御部では、前記報知信号が何れか一つの制御部から出力されたことに基づいて前記基準信号レベル値の同時進行的な低下が停止されることを要旨とした。
【０００８】
一方、建物開口部用開閉制御装置に係る請求項４に記載の発明は、請求項１〜請求項３のうち何れか一項に記載の無線遠隔操作システムを使用し、建物における複数の開口部毎に対応した複数の開閉装置を制御対象として、各開閉装置の開閉制御を無線遠隔操作により行うことを要旨とした。
【０００９】
また、同じく請求項５に記載の発明は、請求項４に記載の建物開口部用開閉制御装置において、前記建物における複数の開口部は窓であることを要旨とした。
【００１０】
【発明の実施の形態】
以下、本発明を建物における開口部の一種である窓の開閉制御を行う建物開口部用開閉制御装置に具体化した一実施形態を図１〜図５に従って説明する。
【００１１】
図１は、建物開口部用開閉制御装置１の全体構成を示す模式図である。図１に示すように、建物開口部用開閉制御装置１は、制御対象としての複数の開閉装置２、当該開閉装置２の駆動を制御する制御部３を含む装置側局としての複数の駆動制御装置４、操作側局としてのリモートコントローラ５を備えている。各開閉装置２は、図示しない建物の壁面に設置される複数の窓（開口部）の窓枠６に図示しない蝶番を介して上端において回動可能に支持された窓開閉体７、及び当該窓開閉体７の開閉状態を検知するための図示しないセンサを備えている。
【００１２】
窓枠６の縦枠両内面下方と窓開閉体７の縦框両外面下方との間には、窓開閉体７を開放側に付勢するための付勢装置８がそれぞれ配設されている。当該付勢装置８は、リンクと図示しないコイルバネとで構成されている。窓開閉体７に対して付勢装置８の付勢力に抗して窓開閉体７を閉鎖側へ回動させる力を付与するためのワイヤ９は、一端が前記窓枠６の近傍に設置された巻取りユニット１０の図示しない巻取り部に固定され、中間部が滑車１１に巻掛けられ、他端が巻取りユニット１０から遠い側の窓開閉体７に固定されている。
【００１３】
前記巻取り部は公知のものと同様に、モータにより正逆回転駆動される巻取りドラムを備えている。そして、巻取りドラムがワイヤ９を巻き取ると窓開閉体７が付勢装置８の付勢力に抗して閉鎖方向へ回動され、巻取りドラムがワイヤ９を繰り出すと窓開閉体７が付勢装置８の付勢力により開放側へ回動される構成になっている。前記モータは制御部３からの指令に基づいて正転駆動制御又は逆転駆動制御される。
【００１４】
図２は駆動制御装置４の構成を示すブロック図である。本実施形態では、制御部３と駆動制御装置４とが互いに対応付けされた状態で１個のユニットに構成されており、当該制御部３は割り当てられた開閉装置２の制御に加えて対応する駆動制御装置４の制御も実行する。駆動制御装置４は、制御部３、送信部２１、受信部２２、送受信切換部２３、送受信用アンテナ２４、モータ制御部２５を備えている。
【００１５】
制御部３はマイコンで構成されており、ＣＰＵ、ＲＯＭ、及びメモリを備えている。ＲＯＭには前記送信部２１、受信部２２、送受信切換部２３、モータ制御部２５を制御するための制御プログラムや当該制御プログラムを実行する際に必要なデータ等が記憶されている。当該データには前記送信部２１及び受信部２２を介して送受信される無線信号の信号内容及びその送信局を特定するためのＩＤデータが含まれている。また、メモリには前記受信部２２で受信した無線信号のうちリモートコントローラ５から送信された操作指令信号の電界強度を示す信号レベル値（以下、受信値という。）とその高低度合を比較するための基準信号レベル値（以下、基準値という。）とが記憶されている。基準値の初期レベル値としては、各制御部３の受信部２２において受信する前記操作指令信号の電界強度として想定されるレベル値のうち最高のレベル値が、各制御部３に共通のものとして設定されている。
【００１６】
送信部２１では、制御部３にて生成され出力される所定の周波数の無線信号であって、前記ＩＤデータを付加された無線信号が送受信用アンテナ２４を介して空間に送信信号として放射される。受信部２２では、送受信用アンテナ２４を介して所定の周波数の無線信号が受信され制御部３に受信信号として出力される。
また、受信部２２ではその受信信号が前記操作指令信号である場合にはその受信値が測定され、当該受信信号（操作指令信号）と共に制御部３に出力される。
【００１７】
なお、前記無線信号には、リモートコントローラ５から各駆動制御装置４に向けて送信される前記操作指令信号の他に、次のような無線信号がある。即ち、各駆動制御装置４からリモートコントローラ５へ送信される窓開閉体７の状態変化（開放から閉鎖、或いは閉鎖から開放等）を通知するための無線信号（以下、状態通知信号という。）と、各駆動制御装置４から他の駆動制御装置４に送信される開閉装置２の駆動開始を通知する無線信号（以下、報知信号という。）とがある。そして、各駆動制御装置４の制御部３では受信部２２で受信された無線信号に付加されているＩＤデータによって、リモートコントローラ５から送信された操作指令信号であるか、又は何れの駆動制御装置４から送信された報知信号（若しくは状態通知信号）であるかを識別できるようになっている。
【００１８】
送受信切換部２３では、制御部３によって送信部２１が機能する状態と、受信部２２が機能する状態とが切り換えられる。なお、リモートコントローラ５及び他の駆動制御装置４に無線信号が送信される時以外は、受信部２２が機能する状態に切り換えて待機している。モータ制御部２５では、受信部２２で受信されたリモートコントローラ５からの操作指令信号に基づいて巻取りユニット１０に窓開閉体７の開放、停止、閉鎖のうちいずれかが指示される。
【００１９】
図３はリモートコントローラ５の構成を示すブロック図である。リモートコントローラ５は、制御部３１、操作部３２、送信部３３、受信部３４、送受信切換部３５、送受信用アンテナ３６、状態表示部３７を備えている。なお、当該リモートコントローラ５は、主に建物開口部用開閉制御装置１付近で使用されるものであり、操作者が持ち運びできるようになっている。制御部３１はマイコンで構成されており、ＣＰＵ、ＲＯＭ、及びメモリを備えている。ＲＯＭには前記操作部３２、送信部３３、受信部３４、送受信切換部３５、状態表示部３７を制御するための制御プログラムや当該制御プログラムを実行する際に必要なデータ等が記憶されている。また、当該データには前記送信部３３及び受信部３４を介して送受信される無線信号の信号内容及びその送信局を特定するためのＩＤデータが含まれている。
【００２０】
操作部３２は、図１に示すようにリモートコントローラ５のハウジング３８の外面に設けられており、窓開閉体７を駆動するための３個の押しボタン３２ａ，３２ｂ，３２ｃにより構成されている。押しボタン３２ａは開放指示用、押しボタン３２ｂは停止指示用、押しボタン３２ｃは閉鎖指示用の役割を果たす。操作部３２が操作された（即ち、押しボタン３２ａ，３２ｂ，３２ｃのいずれかが押された）場合、制御部３１では操作に対応して開放、停止、閉鎖のいずれかの指示を示す、ＩＤデータが含まれた操作指令信号が生成される。そして、当該操作指令信号は送信部３３及び送受信用アンテナ３６を介して、何れかの駆動制御装置４が予め選択されることなく、全ての駆動制御装置４に無線信号として送信される。
【００２１】
送信部３３では、制御部３１にて生成出力される所定の周波数の無線信号であって、前記ＩＤデータを付加された無線信号が送受信用アンテナ３６を介して空間に送信信号として放射される。受信部３４では、送受信用アンテナ３６を介して所定の周波数の無線信号が受信され復調処理される。そして、復調処理された信号が前記状態通知信号である場合には制御部３１に出力される。
【００２２】
送受信切換部３５では、制御部３１によって送信部３３が機能する状態と、受信部３４が機能する状態とが切り換えられる。なお、駆動制御装置４に信号が送信される時以外は、受信部３４が機能する状態に切り換えて待機している。状態表示部３７は１個の液晶表示装置で構成されており、図１に示すようにリモートコントローラ５のハウジング３８の外面に設けられている。当該状態表示部３７には、駆動制御装置４から送信される状態通知信号に基づいて開閉装置２の状態（開放状態、閉鎖状態等）が表示される。
【００２３】
次に、前記のように構成された建物開口部用開閉制御装置１の作用を図４及び図５のフローチャートに従って説明する。
まず、駆動制御装置４における制御部３の作用を図４のフローチャートに従って説明する。ステップＳ１では無線信号を受信したか否かが判断され、無線信号を受信するとステップＳ２に進む。ステップＳ２では前記無線信号がＩＤデータを含んでいるか否かの判断がなされる。ＩＤデータを含んでいる場合にはステップＳ３に進み、ＩＤデータを含んでいない場合には受信した無線信号は他の駆動制御装置４又はリモートコントローラ５から送信された無線信号でない（即ち、操作指令信号、状態通知信号、報知信号のいずれでもない。）と判断され、ステップＳ１に戻る。
【００２４】
ステップＳ３では前記無線信号がリモートコントローラ５から送信された操作指令信号であるか否かが当該無線信号に付加されているＩＤデータに基づき判断される。リモートコントローラ５から送信された操作指令信号の場合はステップＳ４に進み、リモートコントローラ５から送信された操作指令信号でない場合はステップＳ１に戻り、再びステップＳ１以降の処理が繰り返される。
【００２５】
ステップＳ４では、制御部３内のメモリに記憶されている基準値と受信した操作指令信号の受信値の高度が比較される。そして、受信値が基準値より高い場合はステップＳ５に進み、低い場合はステップＳ６に進む。ステップＳ５では制御部３からの指令に基づいてモータ制御部２５により制御される開閉装置２により、開放、停止、閉鎖のいずれかの動作が実行される。更に、他の駆動制御装置４に対して報知信号が、またリモートコントローラ５に対して状態通知信号が送信部２１及び送受信用アンテナ２４を介してそれぞれ送信され、その後、ステップＳ８に進む。
【００２６】
一方、ステップＳ６では基準値が初期レベル値の１／２０に相当するレベル値だけ全ての駆動制御装置４の制御部３において同時進行的に下げられ、ステップＳ７に進む。そして、ステップＳ７では各制御部３において、他の駆動制御装置４からの報知信号を受信したか否かが判断される。報知信号を受信している場合にはステップＳ８に進み、受信していない場合にはステップＳ４に戻り、再度、前記操作指令信号の受信値と前回の比較時よりも１／２０に相当するレベル値だけ下げられた基準値とが比較される。そして、このステップＳ４での再度の比較の結果が肯定的（Ｙｅｓ）判定の場合には、前記ステップＳ５の処理が行われた後、ステップＳ８に進む。ステップＳ８では基準値が初期値にリセットされ、その後、ステップＳ１に戻り、再びステップＳ１以降の処理が繰り返される。
【００２７】
次に、リモートコントローラ５の制御部３１の作用を図５のフローチャートに従って説明する。ステップＳ２１では無線信号を受信したか否かが判断され、無線信号を受信した場合はステップＳ２２に進み、受信していない場合はステップＳ２４に進む。ステップＳ２２では前記無線信号が状態通知信号であることを示すＩＤデータを含んでいるか否かが判断され、当該ＩＤデータを含んでいる場合はステップＳ２３に進み、当該ＩＤデータを含んでいない場合には、ステップＳ２１に戻る。ステップＳ２３では受信した状態通知信号に対応する表示指令（開閉制御がなされた窓、及びその開放又は閉鎖状態等）がリモートコントローラ５の状態表示部３７に出力される。
【００２８】
一方、ステップＳ２４では操作入力の有無が判断される。操作入力がある場合にはステップＳ２５に進み、ない場合は処理を終了し、ステップＳ２１に戻る。
ステップＳ２５では操作入力に対応した操作指令信号が駆動制御装置４へ送信される。即ち、開放指令の操作入力があれば開放指令の操作指令信号を、閉鎖指令の操作入力があれば閉鎖指令の操作指令信号を、そして停止指令の操作入力があれば停止指令の操作指令信号が各駆動制御装置４へ送信される。
【００２９】
従って、上記実施形態の建物開口部用開閉制御装置１によれば、以下のような効果を得ることができる。
（１）前記実施形態では、リモートコントローラ５からの操作指令信号の受信値と、各駆動制御装置４の制御部３内のメモリに記憶されている基準値とが比較され、その比較結果が所定条件（基準値＜受信値）を満たした駆動制御装置４のみが、制御対象たる開閉装置２を自動的に開閉制御するようにした。従って、複数ある各窓毎に対応付けられた各開閉装置２について、操作者がリモートコントローラ５により開閉制御の対象となる開閉装置２を選択指定する必要がなく、操作内容を簡略化できる。
【００３０】
（２）前記実施形態では、各駆動制御装置４の受信部２２で各々受信されたリモートコントローラ５からの操作指令信号の各受信値の高低度合いを、各駆動制御装置４（制御部３）に共通の基準値との比較において、何れの窓の開閉装置２を開閉制御すべきか特定するための判断基準とした。そのため、操作者は通常自分の近くの窓の開閉装置２の開閉を所望すると考えられるから、前記受信値が最も高い、即ち、その時点でリモートコントローラ５を所持している操作者に最も近い窓の開閉装置２を自動的に開閉制御することができる。
【００３１】
（３）前記実施形態では、全ての駆動制御装置４において受信値が基準値よりも低い場合には当該時点の基準値を各制御部３において同時進行的に下げていき、その基準値を前記受信値が上回ることになった駆動制御装置４の制御部３が、当該制御部３に割り当てられている窓の開閉装置２を開閉するようにした。従って、リモートコントローラ５から各駆動制御装置４までの距離が遠い場合であっても、それらの駆動制御装置４のうちから最もリモートコントローラ５に近い駆動制御装置４が対応付けされた窓の開閉装置２を確実に開閉制御することができる。
【００３２】
（４）前記実施形態では、制御対象たる開閉装置２の開閉制御を開始した駆動制御装置４の送信部２１からの制御開始を報知する報知信号を受信した他の駆動制御装置４では、当該他の駆動制御装置４（制御部３）における制御対象たる開閉装置２の開閉制御が規制されるようにした。従って、最もリモートコントローラ５に近い駆動制御装置４が対応付けされた窓の開閉装置２を確実に開閉制御できる一方、それ以外の遠方にある開閉が所望されていない窓の開閉装置２が不必要に開閉制御されることがない。
【００３３】
（５）前記実施形態では、何れか一つの駆動制御装置４の送信部２１から送信された前記報知信号を受信部２２により受信した他の駆動制御装置４では、それらの各制御部３における同時進行的な前記基準値の低下が停止されるようにした。従って、それ以後は、新たに制御対象たる開閉装置２の開閉制御を開始する駆動制御装置４が不必要に出現することを簡単に規制することができる。
【００３４】
（６）前記実施形態では、各制御部３の間を無線信号により通信できるように構成したことで、各制御部３を通信ケーブルで接続する必要がなくなり、駆動制御装置４の構成を簡略化できる。
【００３５】
なお、上記実施形態は以下のような別例に変更してもよい。
○上記実施形態では、リモートコントローラ５から送信された操作指令信号の受信値が基準値より高くなるまで基準値を低下させていき、高くなった時点で、制御部３が対応する開閉装置２を開閉制御するように構成した。しかし、これに限られず基準値を予め低い値（例えば０）に設定しておき、基準値を上昇させていき、最後に受信値が基準値より低くなった駆動制御装置４に対応する開閉装置２を制御部３が開閉制御するように構成してもよい。このように構成しても、上記実施形態と同様の効果を得ることができる。また、基準値を所定のレベル値に固定しておき、当該基準値よりも受信した操作指令信号の受信値が高い駆動制御装置４（１つに限らない。）では、その制御部３が対応する開閉装置２を開閉制御するように構成してもよい。
【００３６】
○上記実施形態では、リモートコントローラ５から送信された操作指令信号の受信値と各駆動制御装置４の制御部３のメモリに記憶されている基準値との比較結果が所定条件（基準値＜受信値）を満たした駆動制御装置４のみが対応する開閉装置２を開閉制御するように構成した。しかし、このような条件付き開閉制御機能と、従来から公知の制御対象を選択指定した操作指令信号に基づく開閉制御機能とを、リモートコントローラ５上に設けた動作モード切換ボタンにより切り換えて使用できるような構成にしてもよい。
【００３７】
○上記実施形態では、リモートコントローラ５に３個の押しボタン３２ａ、３２ｂ、３２ｃ及び窓開閉体７の開閉状態を表示する状態表示部３７を備えたが、その他にも、無線信号の通信状態を表示するための通信状態表示部等を付加してもよい。また、リモートコントローラ５は、開閉体を操作する最低限のボタン、すなわち開放指示用の押しボタン３２ａと、閉鎖指示用の押しボタン３２ｃのみを備えて構成してもよい。また、開閉体を操作するボタン、すなわち開放指示用の押しボタン３２ａ、停止指示用の押しボタン３２ｂ、閉鎖指示用の押しボタン３２ｃのみを備えて構成してもよい。更に、開閉指示用の押しボタン３２ａ若しくは閉鎖指示用の押しボタン３２ｃのみを備えて構成してもよい。
【００３８】
○上記実施形態では、基準値の初期レベル値としては、各制御部３の受信部２２において受信する前記操作指令信号の電界強度として想定されるレベル値のうち最高のレベル値が設定されていたが、この基準値は任意の値でよい。
【００３９】
○上記実施形態では、基準値と受信値の高低度合いが比較され、受信値が基準値より低い場合は基準値を初期レベル値の１／２０だけ段階的に低下させたが、低下させる割合はこれに限られるものではなく、任意の値でよい。また、基準値は無段階的に低下させてもよい。
【００４０】
○上記実施形態では、駆動制御装置４における受信値が基準値よりも高い場合に、開閉装置２の制御を開始するようにしたが、受信値が基準値よりも低い場合に、開閉装置２の制御を開始するようにしてもよい。これにより、操作者から最も遠い窓を自動的に開閉することができる。
【００４１】
○上記実施形態では、建物の開口部の一種である窓の開閉装置２を開閉制御する場合に具体化したが、建物における他の開口部、例えば入口等を開閉するシャッター，ドア等の開閉装置を開閉制御する場合に具体化してもよい。
【００４２】
○上記実施形態では、建物開口部用開閉制御装置１における無線遠隔操作システムに具体化したが、操作側局からの操作指令信号に基づき複数ある装置側局の各制御部が各々割り当てられた制御対象を制御するシステム構成のものならば、建物開口部用開閉制御装置１の場合と同様に適用可能である。
【００４３】
○上記実施形態では、駆動制御装置４はリモートコントローラ５との送信部２１、受信部２２とモータ制御部２５を備えた構成であったが、これらを別個の装置に分割し、それぞれ設置条件のよい場所に設置できるようにしてもよい。
【００４４】
○上記実施形態では、報知信号は無線信号であったが、有線で他の駆動制御装置４に通知するように構成してもよい。
○上記実施形態では、巻取りユニット１０は開閉装置２毎にそれぞれ設けられたが、複数の開閉装置２に１個の巻取りユニット１０を設けるように構成してもよい。
【００４５】
○上記実施形態では、巻取りユニット１０は正逆回転駆動されるモータにより駆動された。これを、一方向のみ駆動可能なモータを使用し、窓開閉体７を閉める時のみモータの力を使用し、窓開閉体７を開ける時は巻取りユニット１０内部のロックをソレノイド又は別のモータで解除させ、付勢装置８の力で窓開閉体７を開けるような構成としてもよい。
【００４６】
○上記実施形態では、ワイヤ９により窓開閉体７を開閉させた。これを、実公平６−５０６３１号公報に開示された開閉装置のように、雌ねじ体を螺合した螺棒を窓枠６に備え、雌ねじ体を窓開閉体７とを大小のアームからなるリンク機構で連結し、螺棒の回転による駆動力をリンク機構で動力伝達することにより窓開閉体７の開閉を行うようにしてもよい。また、窓開閉体７を開閉する駆動機構として、エアシリンダや油圧シリンダを使用するよう構成としてもよい。
【００４７】
○上記実施形態では、窓開閉体７を開閉するための開閉装置２及び駆動制御装置４を別々に構成したが、これらを一体的に、窓開閉体７に直付けするように構成してもよい。
【００４８】
【発明の効果】
本発明によれば、操作者に制御対象をその都度選択指定させる必要がなく、簡便且つ容易に複数ある制御対象のうちから所定の制御対象を制御することができる。
【図面の簡単な説明】
【図１】建物開口部用開閉装置の全体構成を示す模式図。
【図２】装置側局の構成を示すブロック図。
【図３】操作側局の構成を示すブロック図。
【図４】装置側局の作用を示すフローチャート。
【図５】操作側局の作用を示すフローチャート。
【符号の説明】
２　制御対象としての開閉装置
３　制御部
４　装置側局としての駆動制御装置
５　操作側局としてのリモートコントローラ
【図１】
2004060143.tif 000003
【図２】
2004060143.tif 000004
【図３】
2004060143.tif 000005
【図４】
2004060143.tif 000006
【図５】
2004060143.tif 000007